(57)【特許請求の範囲】
【請求項１】
アドホックネットワークでデータを転送する通信端末であって、
前記データと該データの宛先となる通信端末を識別する情報と、前記宛先まで前記データを転送する際に、できれば経由させる通信端末を識別する情報とを受信する受信手段と、
前記宛先となる通信端末を識別する情報、及び、該宛先となる通信端末への次の転送先となる通信端末を識別する情報を対応付ける経路情報を参照して、前記受信手段が受信した前記できれば経由させる通信端末を識別する情報が、前記宛先となる通信端末への次の転送先となる通信端末を識別する情報として前記経路情報に対応付けられていれば、前記できれば経由させる通信端末を経路として選択する経路選択手段と、
前記経路選択手段が選択した経路に、前記データと、前記データの宛先となる通信端末を識別する情報と、前記できれば経由させる通信端末を識別する情報とを送信する送信手段と
を有する通信端末。
【請求項２】
前記できれば経由させる通信端末を識別する情報に、自端末を識別する情報が含まれていれば、前記データに自端末のデータを追記する追記手段を更に有する
請求項１記載の通信端末。
【請求項３】
前記できれば経由させる通信端末を識別する情報に、自端末を識別する情報が含まれていれば、前記できれば経由させる通信端末を識別する情報から前記自端末を識別する情報を削除する削除手段を更に有する
請求項２記載の通信端末。
【請求項４】
前記経路情報が宛先となる通信端末への次の転送先となる通信端末との経路の通信品質を併せて持ち、
前記経路選択手段は、前記受信手段が受信した前記できれば経由させる通信端末を識別する情報が、前記宛先となる通信端末への次の転送先となる通信端末を識別する情報として前記経路情報に複数対応付けられていれば、前記経路情報に対応付けられている前記宛先となる通信端末への次の転送先となる通信端末への経路の通信品質を参照して、前記できれば経由させる通信端末のうち通信品質が高い通信端末を経路として選択する
請求項３記載の通信端末。
【請求項５】
アドホックネットワークでデータを転送する通信端末によって実行される経路選択方法であって、
前記通信端末が、
前記データと該データの宛先となる通信端末を識別する情報と、前記宛先まで前記データを転送する際に、できれば経由させる通信端末を識別する情報とを受信する受信ステップと、
前記宛先となる通信端末を識別する情報、及び、該宛先となる通信端末への次の転送先となる通信端末を識別する情報を対応付ける経路情報を参照して、前記受信ステップで受信した前記できれば経由させる通信端末を識別する情報が、前記宛先となる通信端末への次の転送先となる通信端末を識別する情報として前記経路情報に対応付けられていれば、前記できれば経由させる通信端末を経路として選択する経路選択ステップと、
前記経路選択ステップで選択した経路に、前記データと、前記データの宛先となる通信端末を識別する情報と、前記できれば経由させる通信端末を識別する情報とを送信する送信ステップと
を実行する経路選択方法。
【請求項６】
アドホックネットワークでデータを転送する通信方式であって、
前記データと該データの宛先となる通信端末を識別する情報と、前記宛先まで前記データを転送する際に、できれば経由させる通信端末を識別する情報とを受信する受信手段と、
前記宛先となる通信端末を識別する情報、及び、該宛先となる通信端末への次の転送先となる通信端末を識別する情報を対応付ける経路情報を参照して、前記受信手段が受信した前記できれば経由させる通信端末を識別する情報が、前記宛先となる通信端末への次の転送先となる通信端末を識別する情報として前記経路情報に対応付けられていれば、前記できれば経由させる通信端末を経路として選択する経路選択手段と、
前記経路選択手段が選択した経路に、前記データと、前記データの宛先となる通信端末を識別する情報と、前記できれば経由させる通信端末を識別する情報とを送信する送信手段と
を有する通信方式。
【発明の詳細な説明】
【技術分野】
【０００１】
本発明は、アドホックネットワークにおける通信端末、経路選択方法及び通信方式に関する。
【背景技術】
【０００２】
近年では、無線ＬＡＮなどのようにアクセスポイントを必要とせず、無線で接続できる通信端末（例えばパソコン、ＰＤＡ、携帯電話など）により構成されたアドホックネットワークが利用されている。アドホックネットワークでは、広くコンピュータ等の無線接続に用いられているＩＥＥＥ８０２．１１諸規格などの技術を用いながら、多数の通信端末をアクセスポイントの介在なしに相互に接続する形態（マルチホップ通信）を取る。
【０００３】
例えばアドホックネットワークの接続形態は、データの送信元の通信端末から送出された通信フレームが他の通信端末により中継され、順次隣接する他の通信端末に転送されることにより、送信元の通信端末から宛先の通信端末までの経路が形成されるように構成される。
【０００４】
図１はアドホックネットワークの一例の構成図である。図１のアドホックネットワークは通信端末１Ａ〜１Ｇを含む構成である。通信端末１Ａ〜１Ｇは、それぞれが経路情報を有する。アドホックネットワークでは、例えば送信元の通信端末１Ａから宛先の通信端末１Ｇへ通信フレームを送信する際、選択可能な経路が複数ある場合に、通信品質を元に経路を決めることが知られている（例えば特許文献１参照）。
【０００５】
図２は通信端末の処理手順を表した一例のフローチャートである。なお、以下の説明において、通信端末１Ａ〜１Ｇの何れでもよい場合は、単に通信端末１と記載する。通信端末１はステップＳ１において、通信フレームに含まれるメッセージを受信する。
【０００６】
ステップＳ２に進み、通信端末１は宛先の通信端末をキーとして経路情報から通信品質の高い経路を選択する。また、ステップＳ３に進み、通信端末１はステップＳ２で選択した経路に、メッセージを通信フレームに含ませて送信する。
【先行技術文献】
【特許文献】
【０００７】
【特許文献１】特開２００８−１６０５８４号公報
【発明の概要】
【発明が解決しようとする課題】
【０００８】
例えば図１のアドホックネットワークに含まれる複数の通信端末１Ａ、１Ｄからデータの一例としてのメッセージの収集を行う場合は、以下のように行われる。まず、利用者は通信端末１Ａとデータ通信可能なパソコンや専用端末などを操作し、通信端末１Ａが有するメッセージを通信端末１Ｇに送信するように要求する。
【０００９】
通信端末１Ａは図２に示した処理手順により、経路情報から通信品質の高い経路として通信端末１Ｃを選択する。通信端末１Ａは通信端末１Ｃに、メッセージを通信フレームに含ませて送信する。
【００１０】
通信端末１Ｃは図２に示した処理手順により、経路情報から通信品質の高い経路として通信端末１Ｅを選択する。通信端末１Ｃは通信端末１Ｅに、メッセージを通信フレームに含ませて送信する。
【００１１】
通信端末１Ｅは図２に示した処理手順により、経路情報から通信品質の高い経路として通信端末１Ｇを選択する。通信端末１Ｅは通信端末１Ｇに、メッセージを通信フレームに含ませて送信する。
【００１２】
また、利用者は通信端末１Ｄとデータ通信可能なパソコンや専用端末などを操作し、通信端末１Ｄが有するメッセージを通信端末１Ｇに送信するように要求する。通信端末１Ｄは図２に示した処理手順により、経路情報から通信品質の高い経路として通信端末１Ｆを選択する。通信端末１Ｄは通信端末１Ｆに、メッセージを通信フレームに含ませて送信する。
【００１３】
通信端末１Ｆは図２に示した処理手順により、経路情報から通信品質の高い経路として通信端末１Ｇを選択する。通信端末１Ｆは通信端末１Ｇに、メッセージを通信フレームに含ませて送信する。
【００１４】
したがって、図１のアドホックネットワークに含まれる複数の通信端末１Ａ、１Ｄからデータ収集を行うような場合は、従来、通信プロセスが通信端末１Ａ→１Ｃ→１Ｅ→１Ｇ及び通信端末１Ｄ→１Ｆ→１Ｇの計５回（矢印の数）となる。
【００１５】
このように、図１のアドホックネットワークに含まれる複数の通信端末１Ａ、１Ｄからデータ収集を行うような場合は、従来、通信品質を元に経路が選択される。この為、図１のアドホックネットワークに含まれる複数の通信端末からメッセージを一度に収集できる経路が存在する場合であっても、従来は、それぞれの通信端末１Ａ、１Ｄからメッセージを個別に収集してしまい、冗長な通信プロセスを実施してしまうという問題があった。
【００１６】
本発明の一実施形態はアドホックネットワークに含まれる複数の通信端末からのデータ収集を効率的に行うことができる通信端末、経路選択方法及び通信方式を提供することを目的とする。
【課題を解決するための手段】
【００１７】
上記課題を解決するため、本発明の一実施形態は、アドホックネットワークでデータを転送する通信端末であって、前記データと該データの宛先となる通信端末を識別する情報と、前記宛先まで前記データを転送する際に、できれば経由させる通信端末を識別する情報とを受信する受信手段と、前記宛先となる通信端末を識別する情報、及び、該宛先となる通信端末への次の転送先となる通信端末を識別する情報を対応付ける経路情報を参照して、前記受信手段が受信した前記できれば経由させる通信端末を識別する情報が、前記宛先となる通信端末への次の転送先となる通信端末を識別する情報として前記経路情報に対応付けられていれば、前記できれば経由させる通信端末を経路として選択する経路選択手段と、前記経路選択手段が選択した経路に、前記データと、前記データの宛先となる通信端末を識別する情報と、前記できれば経由させる通信端末を識別する情報とを送信する送信手段とを有する。
【００１８】
なお、本発明の一実施形態の構成要素、表現又は構成要素の任意の組合せを、方法、装置、システム、コンピュータプログラム、記録媒体、データ構造などに適用したものも本発明の態様として有効である。
【発明の効果】
【００１９】
本発明の一実施形態によれば、アドホックネットワークに含まれる複数の通信端末からのデータ収集を効率的に行うことができる通信端末、経路選択方法及び通信方式を提供可能である。
【図面の簡単な説明】
【００２０】
【図１】アドホックネットワークの一例の構成図である。
【図２】通信端末の処理手順を表した一例のフローチャートである。
【図３】本実施例の通信端末１の一例の構成図である。
【図４】本実施例の通信端末１の処理手順を表す一例のフローチャートである。
【図５】ステップＳ１６の処理手順を表した一例のフローチャートである。
【図６】通信端末１が送受信する通信フレームの一例のデータ構成図である。
【発明を実施するための形態】
【００２１】
次に、本発明を実施するための形態を、以下の実施例に基づき図面を参照しつつ説明していく。まず、ここでは図１のアドホックネットワークについて更に説明する。通信端末１が有する経路情報は、宛先、次経路、通信品質を含む。宛先はメッセージの送信先の通信端末を識別する為の情報（例えば送信先アドレスなど）である。次経路は宛先へ送信する場合に取り得る次の通信端末を識別する為の情報である。通信品質は経由する通信端末１の数（ホップ数）や通信エラーの実績値などから評価される数値（通信品質を定量的に定義した数値）である。
【００２２】
アドホックネットワークに含まれる複数の通信端末１Ａ、１Ｄから一度にデータを収集して宛先の通信端末１Ｇに送信する場合、経路は一筆書きのように通信端末１Ａ、１Ｄを経由した方が通信プロセスの数を減らす意味で望ましい。しかし、従来、データを収集する他の通信端末１の存在はアドホックネットワークにおける経路の選択において考慮されていない。
【００２３】
したがって、従来、アドホックネットワークに含まれる複数の通信端末１からデータを収集して宛先の通信端末１Ｇに送信する場合は、データを収集する通信端末１の数分だけ通信プロセスを実施してしまう。今後、アドホックネットワーク網が広がり、取り得る経路の選択肢が増えた場合、アドホックネットワーク網内のそれぞれの通信機器１の負荷はスループットを維持する上の技術的課題になることが想定される。
【００２４】
そこで、本実施例の通信端末１はアドホックネットワークの経路を動的に変更できる特徴を活かし、通信端末１の負荷の軽減（通信プロセス回数の減少）を図る。
【００２５】
図３は本実施例の通信端末１の一例の構成図である。通信端末１は、入力部１１、ＩＦ部１２、出力部１３、入出力制御ＩＦ部１４、制御部１５、記憶部１６を有する。入力部１１は他ノード（他の通信端末、利用者の操作するデータ通信可能なパソコンや専用端末など）から通信フレームを受信する。ＩＦ部１２は設置機器等からデータを収集する。出力部１３は他ノードへ通信フレームを送信する。
【００２６】
入出力制御ＩＦ部１４は入力部１１、ＩＦ部１２、出力部１３と、制御部１５との間で行う通信フレームやデータの入出力を制御するインタフェースである。制御部１５は通信端末１における制御を行う。記憶部１６は各種情報を記憶する。
【００２７】
また、制御部１５は、データ受信部２１、同時取得要求端末判定部２２、データ収集部２３、電文追記部２４、経路選択部２５、送信部２６を有する。記憶部１６は、受信電文情報３１、同時取得要求端末情報３２、自身の電文情報３３、送信電文情報３４、経路情報３５を記憶している。
【００２８】
データ受信部２１は他ノードから受信した通信フレームに含まれる電文を記憶部１６の受信電文情報３１として記憶させると共に、他ノードから受信した通信フレームに含まれる同時取得要求端末情報（後述の同時取得要求アドレス）を記憶部１６の同時取得要求端末情報３２として記憶させる。
【００２９】
同時取得要求端末判定部２２は記憶部１６に記憶されている同時取得要求端末情報３２に基づいて、後述のように自身が同時取得要求端末であるか否かの判定を行う。同時取得要求端末判定部２２は自身が同時取得要求端末であるとき、記憶部１６に記憶されている同時取得要求端末情報３２から自身に対応する同時取得要求端末情報３２を削除する。
【００３０】
データ収集部２３は設置機器等から収集したデータを記憶部１６の自身の電文情報３３として記憶させる。電文追記部２４は、自身が同時取得要求端末であるとき、記憶部１６に記憶されている受信電文情報３１に自身の電文情報３３を追記して送信電文とする。電文追記部２４は送信電文情報３４を記憶部１６に記憶させる。
【００３１】
経路選択部２５は記憶部１６に記憶されている経路情報３５と同時取得要求端末情報３２とに基づき、後述のように経路を選択する。送信部２６は記憶部１６に記憶されている送信電文情報３４に同時取得要求端末情報３２を添えた通信フレームを、経路選択部２５が選択した経路に送信する。
【００３２】
受信電文情報３１は他ノードから受信した電文である。同時取得要求端末情報３２は他ノードから受信した同時取得要求端末情報である。同時取得要求端末情報は一度にデータを収集したい通信機器１をアドレス等で表している。自身の電文情報３３は設置機器等から収集したデータである。送信電文情報３４は必要に応じて自身の電文情報３３を追記した他ノードに送信する電文である。経路情報３５は例えば図１に示すような通信端末１がそれぞれ有する情報である。
【００３３】
図４は本実施例の通信端末１の処理手順を表す一例のフローチャートである。ステップＳ１１に進み、通信端末１のデータ受信部２１は他ノードから電文（メッセージ）を受信する。データ受信部２１は、受信した電文を記憶部１６の受信電文情報３１として記憶させる。
【００３４】
ステップＳ１２に進み、通信端末１のデータ受信部２１は他ノードから同時取得要求端末情報を受信する。データ受信部２１は受信した同時取得要求端末情報を記憶部１６の同時取得要求端末情報３２として記憶させる。なお、図４ではステップＳ１１、Ｓ１２の処理を分けて表しているが、同じ通信フレームに含まれている電文、同時取得要求端末情報を利用できる。また、送信元の通信端末１では、ステップＳ１１、Ｓ１２の処理が省略される。
【００３５】
ステップＳ１３に進み、同時取得要求端末判定部２２は記憶部１６に記憶されている同時取得要求端末情報３２に自身（自端末）が含まれているか否かを判定する。例えば同時取得要求端末判定部２２は自身のアドレスを例えば記憶部１６から読み出す。
【００３６】
同時取得要求端末情報３２に自身（自端末）が含まれていれば、同時取得要求端末判定部２２はステップＳ１４に進み、同時取得要求端末情報３２から自端末情報（自身に対応する同時取得要求端末情報３２）を削除する。そして、電文追記部２４は記憶部１６に記憶されている受信電文情報３１に自身の電文情報３３を追記して送信電文とする。電文追記部２４は送信電文情報３４を記憶部１６に記憶させたあと、ステップＳ１５に進む。
【００３７】
なお、ステップＳ１３において、同時取得要求端末情報３２に自身（自端末）が含まれていなければ、同時取得要求端末判定部２２はステップＳ１５に進む。ステップＳ１５において経路選択部２５は記憶部１６に記憶されている経路情報３５の次経路の中に、同時取得要求端末情報３２に含まれる通信端末１が存在するか否かを判定する。
【００３８】
経路情報３５の次経路の中に、同時取得要求端末情報３２に含まれる通信端末１が存在すれば、経路選択部２５はステップＳ１６に進み、同時取得要求端末情報３２に含まれる通信端末１の中から後述のように、次に通信フレームを転送する通信端末１を経路として決定する。
【００３９】
経路情報３５の次経路の中に、同時取得要求端末情報３２に含まれる通信端末１が存在しなければ、経路選択部２５はステップＳ１７に進み、経路情報３５の通信品質に基づいて通信品質が高い次経路の通信端末１を経路として選択する。
【００４０】
ステップＳ１６又はＳ１７に続いてステップＳ１８に進み、送信部２６は記憶部１６に記憶されている送信電文情報（メッセージ）３４を、ステップＳ１６又はＳ１７で選択した他ノードに送信する。ステップＳ１９に進み、送信部２６は記憶部１６に記憶されている同時取得要求端末情報３２を、ステップＳ１７で選択した他ノードに送信する。図４ではステップＳ１８、Ｓ１９の処理を分けて表しているが、送信電文情報３４、同時取得要求端末情報３２を同じ通信フレームに含ませることができる。
【００４１】
図５はステップＳ１６の処理手順を表した一例のフローチャートである。ステップＳ２１に進み、経路選択部２５は経路情報３５の次経路の中に、同時取得要求端末情報３２に含まれる通信端末１が複数存在するか否かを判定する。
【００４２】
経路情報３５の次経路の中に、同時取得要求端末情報３２に含まれる通信端末１が複数存在すれば、経路選択部２５はステップＳ２２に進み、複数存在した経路情報３５の次経路の中で最も通信品質が高い通信端末１を経路として選択する。
【００４３】
経路情報３５の次経路の中に、同時取得要求端末情報３２に含まれる通信端末１が複数存在しなければ、言い換えれば経路情報３５の次経路の中に、同時取得要求端末情報３２に含まれる通信端末１が１つ存在すれば、経路選択部２５はステップＳ２３に進み、同時取得要求端末情報３２に含まれる通信端末１を経路として選択する。
【００４４】
図６は通信端末１が送受信する通信フレームの一例のデータ構成図である。図６に示すように、通信フレームは送信先アドレスフィールド、送信元アドレスフィールド、経路アドレスフィールド、同時取得要求アドレスフィールド、データフィールドを含む。
【００４５】
送信先アドレスフィールドには宛先の通信端末１を識別する為の情報として宛先の通信端末１のアドレスが含まれる。送信元アドレスフィールドには送信元の通信端末１を識別する為の情報として送信元の通信端末１のアドレスが含まれる。経路アドレスフィールドはアドホックネットワークを経由された通信フレームが次経路にリレーできない場合（次経路が全て通信不可）や一度経由しリレーしたはずの通信フレームが宛先に届くことなく帰ってきた（回って帰ってきた）場合に、リルートする為に用いられる。
【００４６】
同時取得要求アドレスフィールドには同時取得要求端末情報３２としてデータを収集する通信端末１のアドレスが含まれる。データフィールドは設置機器等から収集したデータの一例としてのメッセージが含まれる。
【００４７】
例えば図１のアドホックネットワークに含まれる複数の通信端末１Ａ、１Ｄからデータの一例としてのメッセージの収集を行う場合は、以下のように行われる。まず、利用者は通信端末１Ａとデータ通信可能なパソコンや専用端末などを操作し、通信端末１Ａが有するメッセージを通信端末１Ｇに送信するように要求する。このとき、更に、利用者は同時取得要求端末情報３２として通信端末１Ｄのアドレスを通信端末１Ａに設定する。
【００４８】
図４及び図５に示した処理手順により、通信端末１Ａの同時取得要求端末判定部２２はステップＳ１３において、記憶部１６に記憶されている同時取得要求端末情報３２に自端末が含まれていないと判定し、ステップＳ１５に進む。通信端末１Ａの経路選択部２５は記憶部１６に記憶されている経路情報３５の次経路の中に、同時取得要求端末情報３２に含まれる通信端末１Ｄが存在すると判定し、ステップＳ１６に進む。
【００４９】
通信端末１Ａの経路選択部２５は経路情報３５の次経路の中に、同時取得要求端末情報３２に含まれる通信端末１Ｄが１つ存在すると判定し、ステップＳ２３に進む。通信端末１Ａの経路選択部２５はステップＳ２３に進み、同時取得要求端末情報３２に含まれる通信端末１Ｄを経路として選択する。そして、通信端末１Ａの送信部２６は記憶部１６に記憶されている同時取得要求端末情報３２と送信電文情報３４とをステップＳ１６で選択した通信端末１Ｄに送信する。
【００５０】
図４及び図５に示した処理手順により、通信端末１Ｄの同時取得要求端末判定部２２はステップＳ１３において、記憶部１６に記憶されている同時取得要求端末情報３２に自端末が含まれていると判定し、ステップＳ１４に進む。通信端末１Ｄの同時取得要求端末判定部２２は同時取得要求端末情報３２から自端末情報（自身に対応する同時取得要求端末情報３２）を削除する。結果として、通信端末１Ｄの記憶部１６に記憶されている同時取得要求端末情報３２は空となる。
【００５１】
そして、通信端末１Ｄの電文追記部２４は記憶部１６に記憶されている通信端末１Ａからの受信電文情報３１に自身の電文情報３３を追記して送信電文とする。通信端末１Ｄの電文追記部２４は、通信端末１Ａからの受信電文情報３１に自身の電文情報３３を追記した送信電文情報３４を記憶部１６に記憶させたあと、ステップＳ１５に進む。
【００５２】
ステップＳ１５において、通信端末１Ｄの経路選択部２５は記憶部１６に記憶されている経路情報３５の次経路の中に、同時取得要求端末情報３２に含まれる通信端末１が存在しないと判定し、ステップＳ１７に進む。ステップＳ１７において、通信端末１Ｄの経路選択部２５は経路情報３５の通信品質に基づいて通信品質が高い次経路の通信端末１Ｆを経路として選択する。
【００５３】
そして、通信端末１Ｄの送信部２６は記憶部１６に記憶されている空の同時取得要求端末情報３２と通信端末１Ａからの受信電文情報３１に自身の電文情報３３を追記した送信電文情報３４とをステップＳ１７で選択した通信端末１Ｆに送信する。
【００５４】
図４及び図５に示した処理手順により、通信端末１Ｆの同時取得要求端末判定部２２はステップＳ１３において、記憶部１６に記憶されている同時取得要求端末情報３２に自端末が含まれていないと判定し、ステップＳ１５に進む。
【００５５】
ステップＳ１５において、通信端末１Ｆの経路選択部２５は記憶部１６に記憶されている経路情報３５の次経路の中に、同時取得要求端末情報３２に含まれる通信端末１が存在しないと判定し、ステップＳ１７に進む。ステップＳ１７において、通信端末１Ｆの経路選択部２５は経路情報３５の通信品質に基づいて通信品質が高い次経路の通信端末１Ｇを経路として選択する。
【００５６】
そして、通信端末１Ｆの送信部２６は記憶部１６に記憶されている空の同時取得要求端末情報３２と通信端末１Ｄからの受信電文情報３１である送信電文情報３４とをステップＳ１７で選択した通信端末１Ｇに送信する。
【００５７】
したがって、図１のアドホックネットワークに含まれる複数の通信端末１Ａ、１Ｄからデータ収集を行うような場合は、通信プロセスが通信端末１Ａ→１Ｄ→１Ｆ→１Ｇの計３回（矢印の数）となる。つまり、本実施例の通信端末１によれば、通信プロセスが従来の計５回から計３回に減少する。
【００５８】
このように、本実施例では一度にデータを取得したい通信端末１を表す同時取得要求端末情報３２を含むように通信フレームを送信するため、経由する通信端末１において経路を選択するとき、通信品質以外に、一度にデータを取得したい通信端末１の情報に基づいて経路を選択でき、通信プロセス回数の減少を図ることができる。
【００５９】
本実施例によれば、アドホックネットワーク内の複数の通信端末１からメッセージを一度に収集できる経路が存在する場合、複数の通信端末１からメッセージを一度に収集できるため、複数の通信端末１からのメッセージの収集を効率的に行うことができる。
【００６０】
本発明は、具体的に開示された実施例に限定されるものではなく、特許請求の範囲から逸脱することなく、種々の変形や変更が可能である。特許請求の範囲に記載した受信手段がデータ受信部２１に相当し、経路選択手段が経路選択部２５に相当し、送信手段が送信部２６に相当し、追記手段が電文追記部２４に相当し、削除手段が同時取得要求端末判定部２２に相当する。
【符号の説明】
【００６１】
１、１Ａ〜１Ｇ    通信端末
１１    入力部
１２    ＩＦ部
１３    出力部
１４    入出力制御ＩＦ部
１５    制御部
１６    記憶部
２１    データ受信部
２２    同時取得要求端末判定部
２３    データ収集部
２４    電文追記部
２５    経路選択部
２６    送信部
３１    受信電文情報
３２    同時取得要求端末情報
３３    自身の電文情報
３４    送信電文情報
３５    経路情報
【図１】
0005397331.tif 000002
【図２】
0005397331.tif 000003
【図３】
0005397331.tif 000004
【図４】
0005397331.tif 000005
【図５】
0005397331.tif 000006
【図６】
0005397331.tif 000007